(57)【要約】【課題】本発明は、冷却ファンの動作表示機能を有し、機器内又は機器内特定回路の冷却対策を施し、冷却ファン動作に対してユーザーが故障と勘違いする混乱を防ぎユーザーに安心感を与えること。【解決手段】電源オン・電源待機状態・電源オフのいかなる電源状態下でも動作する温度検出部２０８と制御部２０９と冷却ファン動作表示部２１０と冷却ファン２１１とを備え、記録再生装置内又は記録再生装置内特定回路に設置された温度検出部２０８からの温度データに応じて、制御部２０９から冷却ファン２１１を制御すると共に、冷却ファンの動作状態を冷却ファン動作表示部２１０に表示することにより、記録再生装置内の冷却ファンの動作状態をユーザーに知らせることができる。【選択図】図１
2005050422.tif 000002
【特許請求の範囲】
【請求項１】
電源オン・電源待機状態・電源オフでも電圧が供給されているマイクロプロセッサを有してなる記録再生装置において、前記マイクロプロセッサは、機器内又は機器内特定回路の温度を常時監視し、当該監視温度が設定温度を超えたとき、前記機器内又は機器内特定回路に予め定められた冷却対策を施す処理を実行する温度管理機能と、前記冷却対策を施す処理を実行する冷却ファンが動作していることを表示する表示機能を備えたことを特徴とする記録再生装置。
【請求項２】
前記冷却ファンが動作していることを表示する表示手段は蛍光表示管、液晶表示管または発光ダイオードであることを特徴とする請求項１に記載の記録再生装置。
【請求項３】
前記蛍光表示管や液晶表示管にて表示する機能動作表示内容として、冷却ファンのマークを表示することを特徴とする請求項２に記載の記録再生装置。
【請求項４】
冷却ファンを複数備え、その表示は前記複数の冷却ファンのそれぞれの動作の状態を表示することを特徴とする請求項１に記載の記録再生装置。
【請求項５】
前記冷却ファンの動作表示として、冷却ファンのマークもしくは発光ダイオードを、動作時には点灯、停止時には消灯、動作異常時には点滅させることを特徴とする請求項１に記載の記録再生装置。
【発明の詳細な説明】
【技術分野】
【０００１】
本発明は、電源オン・電源待機状態・電源オフの電源状態を有するセットにおいて、冷却ファンが動作していることを表示する表示機能を備えた記録再生装置に関するものである。
【背景技術】
【０００２】
従来の記録再生装置としては、電源オン時に機器内特定回路の温度を検出し、温度検出回路からの出力信号に基づき、冷却ファンを制御すると共に液晶表示部に温度検出回路が検出した温度を表示させているものがあった。（例えば、特許文献１参照）。図２は、前記特許文献１に記載された従来の記録再生装置を示すものである。
【０００３】
図２において、温度センサ３０はＨＤＤボード１１の近傍の温度を検出し、ＩＦボード１５、プロセッサボード１８等を利用して温度検出信号をＡ／Ｄ変換し、ＣＰＵで温度の程度等を判断して装置後部に設けられている複数の冷却ファンを装置内温度に応じた台数又は速度で回転させると共に、フロントパネルボード１３を介して装置前面にある操作パネルの液晶表示板に温度、警告等の表示をしていた。
【特許文献１】特開２０００−３４８４７９号公報
【発明の開示】
【発明が解決しようとする課題】
【０００４】
しかしながら、前記従来の構成では、電源オン時に機器内特定回路の温度を検出し、温度検出回路からの出力信号に基づき、冷却ファンを制御すると共に液晶表示部に温度検出回路が検出した温度を表示させたり、警告表示をさせていた。
【０００５】
また前記従来の構成以外に、従来の記録再生装置においては、外見的には電源オフで内部的には特定回路が電源オンで動作する機能状態が存在する。（以降この機能状態を電源待機状態と呼ぶ）例えば、ジャストクロック機能や前記機能を兼ね備えたＳＴＢ（セットトップボックス）機能やｉ−ＬＩＮＫ機能である。また、従来の記録再生装置における冷却ファンの動作は、電源オン時のみである。前記電源待機状態時の機能は、ユーザーが意識していない時に動作するため、冷却ファンが動作するとユーザーは故障と勘違いし不安感を持つことから冷却ファンの動作は禁止している。
【０００６】
しかし近年デジタル化が進み、前記電源待機状態を兼ね備えた機能が多く開発されてきており、機器内への内蔵化も増加してきている。この場合、電源オン・電源待機状態・電源オフに関わらず機器の消費電力は従来に比べかなり増加する。それに伴い機器内部の発熱量も従来に比べ増加するため、機器や機器内部の部品の温度が上昇し、製品や部品の保証温度を超える可能性がある。特に電源待機状態時の消費電力は機能にもよるが電源オン時とほとんど変わらない場合も想定される。そのため電源オン時のみに限らず電源待機状態時や電源オフ時にも冷却ファンを動作させる必要性が出てくるのだが、前記従来の構成では電源オン時のみしか冷却ファンを動作させことが出来なかったため、電源待機状態時や電源オフ時に同様の冷却対策を施すことが出来なかったという課題を有していた。
【０００７】
本発明は、前記従来の課題を解決するもので、電源オン・電源待機状態・電源オフに関わらず、冷却ファンが動作していることをユーザーに知らせユーザーに安心感を与えるために、冷却ファンが動作していることを表示する機能を備えた記録再生装置を提供することを目的とする。
【課題を解決するための手段】
【０００８】
前記従来の課題を解決するために、本発明の記録再生装置は、電源オン・電源待機状態・電源オフに関わらず機器内又は機器内特定回路の温度を常時監視し、当該監視温度が設定温度を超えたとき、前記機器内又は機器内特定回路に予め定められた冷却対策を施す処理を実行する温度管理機能と、冷却ファンが動作していることを表示する表示機能を有し、ユーザーに冷却ファンが動作していることを表示し知らせることで、機器内又は機器内特定回路の冷却対策を施す。
【０００９】
そして、前記冷却ファンが動作していることを表示する表示手段としては、従来のリソース（蛍光表示管、液晶表示管、発光ダイオード）を使用して表示する。また、前記蛍光表示管や液晶表示管にて表示する機能動作表示内容としては、冷却ファンのマークを表示し、冷却ファンの個数分の表示を行う。表示は各冷却ファン動作に基づいた動作表示をする。動作表示として、冷却ファンのマークもしくは発光ダイオードを、動作時には点灯、停止時には消灯、動作異常時には点滅させる。
【００１０】
本構成によって、機器内の冷却ファン動作に対して、ユーザーが故障と勘違いする混乱を防ぎユーザーに安心感を与えることができる。
【発明の効果】
【００１１】
以上のように、本発明の記録再生装置によれば、機器内の冷却ファン動作に対して、ユーザーが故障と勘違いする混乱を防ぎユーザーに安心感を与えたままで、冷却対策を施すことができる。
【発明を実施するための最良の形態】
【００１２】
以下本発明の実施の形態について、図面を参照しながら説明する。
【００１３】
（実施の形態１）
図１は、本発明の実施の形態１における記録再生装置の概略構成図である。
【００１４】
以下、記録再生装置２０１の構成について説明する。
【００１５】
記録再生装置２０１はＢＳデジタルチューナー部２０２と、地上波アナログ／デジタルチューナー部２０３とを備える。
【００１６】
ＬＩＮＫ信号処理部２０４はＳＴＢ（セットトップボックス）２５１とｉ−ＬＩＮＫ端子２１３を通じて接続される。
【００１７】
入力系信号処理部２０５は、ＢＳデジタルチューナー部２０２、地上波アナログ／デジタルチューナー部２０３、ＬＩＮＫ信号処理部２０４からの入力信号の入力切換や入力された映像信号のＡ／Ｄ変換の処理をする。
【００１８】
記録系信号処理部２０６は、前記入力系信号処理部２０５でＡ／Ｄ変換処理された信号を記録媒体へ記録するための信号をエンコードする処理部である。
【００１９】
機構部２０７は、記録手段（たとえば、磁気ヘッドや光ヘッド）を制御し、記録媒体に信号を記録及び再生するための機構部である。
【００２０】
出力系信号処理部２１２は、入力系信号処理部２０５もしくは機構部２０７からの信号をＤ／Ａ変換し、モニター等に表示するための信号を出力する。
【００２１】
温度検出部２０８は、記録再生装置２０１内の温度を監視し、制御部２０９に温度情報を出力する。
【００２２】
冷却ファン２１１は、制御部２０９により回転の制御がなされ、その回転により装置内の空気を対流させ、外部温度に近づけることで、録画再生装置２０１内の温度を下げる。
【００２３】
冷却ファン動作表示部２１０は、冷却ファン２１１の動作状態、たとえば回転の有無を表示する。
【００２４】
電源釦２１４は、記録再生装置２０１内の各ブロックの電源を制御する釦である。電源制御には電源オンと電源オフがあり、電源オフには電源待機状態と電源オフがある。電源待機状態と電源オフはメニューにて選択を行う。
【００２５】
制御部２０９は、電源釦２１４の電源オン／オフ制御信号を基に、各ブロックへの電源供給を制御する制御部である。電源オン時は、電源オンで動作する入力系信号処理部２０５、記録系信号処理部２０６、機構部２０７、出力系信号処理部２１２と、電源オン／電源待機で動作するＢＳデジタルチューナー部２０２、地上波アナログ／デジタルチューナー部２０３、ＬＩＮＫ信号処理部２０４に電源供給を行う。電源待機状態時は、電源オン／電源待機で動作するＢＳデジタルチューナー部２０２、地上波アナログ／デジタルチューナー部２０３、ＬＩＮＫ信号処理部２０４に電源供給を行う。温度検出部２０８、制御部２０９、冷却ファン動作表示部２１０、冷却ファン２１１は、電源釦２１４の電源制御に関係なく、電源オン／電源待機状態／電源オフでも電源が供給されている。また、前記電源制御に加え、温度検出部２０８の温度情報を基に冷却ファン２１１の回転制御と、冷却ファン２１１の動作状態の情報を、冷却ファン動作表示部２１０に出力する。
【００２６】
次に上記記録再生装置２０１の信号系回路の動作について説明する。
【００２７】
ＢＳデジタルチューナー部２０２と地上波アナログ／デジタルチューナー部２０３とＬＩＮＫ信号処理部２０４は、電源オン時及び電源待機状態時に動作する。
【００２８】
ＢＳデジタルチューナー部２０２において、電源オン時はＢＳデジタル放送の受信を行い、電源待機状態時はソフトウェアダウンロード予約やモデム発呼予約やＳＩ蓄積予約などを実行する。
【００２９】
地上波アナログ／デジタルチューナー部２０３において、電源オン時は地上波アナログ放送及び地上波デジタル放送の受信を行い、電源待機状態時は自動時計調整を行う。
【００３０】
ＬＩＮＫ信号処理部２０４において、電源オン時はＳＴＢ２５１からの信号を受け信号処理を行う。ＬＩＮＫ信号処理部２０４は、電源待機状態時にＳＴＢ２５１からの入力信号を検知した際、記録再生装置の電源をオンにし、ＳＴＢ２５１からの信号の処理を実行する。
【００３１】
ＢＳデジタルチューナー部２０２と地上波アナログ／デジタルチューナー部２０３とＬＩＮＫ信号処理部２０４からの信号を、入力系信号処理部２０５で選択し出力系信号処理部２１２に送りそこから外部機器に出力する（スルー系）。
【００３２】
一方、前記入力系信号処理部２０５で選択した信号を記録する場合は、記録系信号処理部２０６を介して記録媒体を含む機構部２０７に信号を送り記録する（記録系）。
【００３３】
そして、記録媒体に記録した信号を再生する場合は、機構部２０７から出力系信号処理部２１２に信号を送り、そこから外部機器に出力する（再生系）。
【００３４】
次に温度検出部の動作について説明する。
【００３５】
温度検出部２０８は、記録再生装置２０１内の温度が最も高くなる箇所、もしくは部品の保証温度に対し最も余裕がなく、部品の寿命に大きく影響する部品の付近に設置し、温度を常時監視している。そして制御部２０９に対し所定の温度−電圧特性で温度に応じたデータを出力する。
【００３６】
次に制御部と冷却ファンの動作について説明する。
【００３７】
当該監視温度が設定温度を超えたとき制御部２０９は冷却ファン２１１を動作させる。
また、温度に応じて冷却ファン２１１の駆動電圧を可変し回転速度を制御することで、冷却能力と静音化の両立を行っている。
【００３８】
次に冷却ファン動作表示部２１０の動作について説明する。冷却ファン動作表示部２１０は、制御部２０９からの表示データに従い冷却ファン動作の表示を行う。
【００３９】
次に冷却ファン動作の表示方法について説明する。冷却ファン動作表示部２１０は従来のリソースである蛍光表示管や液晶表示管や発光ダイオードを使用して、冷却ファンの動作状態を表示する。
【００４０】
蛍光表示管や液晶表示管で動作状態を表示する場合は、表示管内に冷却ファンを表現するマークを動作時には点灯し、停止時には消灯することで、動作状態を表示する。
【００４１】
もしくは、動作時はマークが点灯、回転し、停止時にはマークが点灯することで動作状態を表示してもよい。冷却ファンのマークを点滅させることで動作異常を知らせることが可能となる。
【００４２】
発光ダイオードで動作状態を表示する場合は、動作時には点灯し停止時には消灯し動作異常時は点滅させる。
【００４３】
また、録画再生装置内に複数の冷却ファンを設けている場合は、各それぞれの冷却ファン動作に基づき、上記のような動作表示を行うことが望ましい。
【００４４】
上述の様に、冷却ファンの動作を表示することで、電源オン・電源待機状態・電源オフに関わらず、冷却対策を施すことが可能となり、機器内又は機器内特定回路の温度管理が常時可能となる。
【産業上の利用可能性】
【００４５】
本発明は、電源オン・電源待機状態・電源オフ等の複数の電源状態を有する記録再生装置であって、冷却ファンの動作表示機能を有し、機器内又は機器内特定回路の冷却対策を施し、冷却ファン動作を表示する用途などに適する。
【図面の簡単な説明】
【００４６】
【図１】本発明の実施の形態１における記録再生装置の概略構成図
【図２】従来の記録再生装置の構成図
【符号の説明】
【００４７】
２０１    記録再生装置
２０２    ＢＳデジタルチューナー部
２０３    地上波アナログ／デジタルチューナー部
２０４    ＬＩＮＫ信号処理部
２０５    入力系信号処理部
２０６    記録系信号処理部
２０７    機構部
２０８    温度検出部
２０９    制御部
２１０    冷却ファン動作表示部
２１１    冷却ファン
２１２    出力系信号処理部
２１３    ｉ−ＬＩＮＫ端子
２１４    電源釦
２５１    ＳＴＢ（セットトップボックス）
【図１】
2005050422.tif 000003
【図２】
2005050422.tif 000004